(57)【要約】  データ送信のための様々なコーディング方式を使用するワイヤレス通信のための方法、システム、およびデバイスが説明される。ワイヤレス通信システムは、たとえば、ターボコードおよび低密度パリティチェックコードなど、複数のコーディング方式をサポートし得る。本システムは、明示的シグナリング、または送信パラメータの暗黙的評価に基づいて、コーディング方式の選択をサポートし得る。送信デバイスは、コーディング方式を選択し、選択されたコーディング方式を使用してメッセージを符号化し、ワイヤレス接続を介して、符号化されたメッセージを送信し得る。受信デバイスは、符号化されたメッセージを受信し、コーディング方式を選択し、選択されたコーディング方式を使用してメッセージを復号し得る。
2018523406.tif 000002
【特許請求の範囲】
【請求項１】
ワイヤレス通信の方法であって、
符号化および送信されるべきメッセージのための送信パラメータを決定することと、
前記送信パラメータに少なくとも部分的に基づいて、ワイヤレス接続のために利用可能な複数のコーディング方式から１つのコーディング方式を選択することと、
前記選択されたコーディング方式を使用して前記メッセージを符号化することと、
前記ワイヤレス接続を介して、前記符号化されたメッセージを送信することと
を備える、方法。
【請求項２】
前記コーディング方式の指示をユーザ機器（ＵＥ）に送信することをさらに備え、ここにおいて、前記符号化されたメッセージがダウンリンクメッセージである、
請求項１に記載の方法。
【請求項３】
前記コーディング方式の前記指示が半静的指示または動的指示を備える、請求項２に記載の方法。
【請求項４】
前記コーディング方式の指示を基地局から受信することをさらに備え、ここにおいて、前記メッセージがアップリンクメッセージである、
請求項１に記載の方法。
【請求項５】
前記コーディング方式の前記指示が半静的指示または動的指示を備える、請求項４に記載の方法。
【請求項６】
前記送信パラメータが、データレート、復号レイテンシバジェットまたはデバイス能力、あるいはそれらの組合せを備える、請求項１に記載の方法。
【請求項７】
前記コーディング方式が、競合ベーススペクトルを使用する前記ワイヤレス接続に少なくとも部分的に基づいて選択される、請求項１に記載の方法。
【請求項８】
前記複数のコーディング方式が、少なくともターボコーディング方式と低密度パリティチェックコーディング方式とを備える、請求項１に記載の方法。
【請求項９】
前記選択されたコーディング方式が、送信時間間隔の第１の部分のための前記ターボコーディング方式と、前記送信時間間隔の第２の部分のための前記低密度パリティチェックコーディング方式とを備える、請求項８に記載の方法。
【請求項１０】
ワイヤレス通信の方法であって、
メッセージのための送信パラメータを決定することと、
前記送信パラメータに少なくとも部分的に基づいて、ワイヤレス接続のために利用可能な複数のコーディング方式から１つのコーディング方式を選択することと、
前記ワイヤレス接続を介して前記メッセージを受信することと、
前記選択されたコーディング方式を使用して前記メッセージを復号することと
を備える、方法。
【請求項１１】
前記コーディング方式の指示をユーザ機器（ＵＥ）に送信することをさらに備え、ここにおいて、前記メッセージがアップリンクメッセージであり、前記コーディング方式の前記指示が半静的指示または動的指示を備える、
請求項１０に記載の方法。
【請求項１２】
前記コーディング方式の指示を基地局から受信することをさらに備え、ここにおいて、前記メッセージがダウンリンクメッセージであり、前記コーディング方式の前記指示が半静的指示または動的指示を備える、
請求項１０に記載の方法。
【請求項１３】
前記送信パラメータが、データレート、復号レイテンシバジェット、またはデバイス能力、あるいはそれらの組合せを備える、請求項１０に記載の方法。
【請求項１４】
前記コーディング方式が、競合ベーススペクトルを使用する前記ワイヤレス接続に少なくとも部分的に基づいて選択される、請求項１０に記載の方法。
【請求項１５】
前記選択されたコーディング方式が、少なくともターボコーディング方式と低密度パリティチェックコーディング方式とを備える、請求項１０に記載の方法。
【請求項１６】
前記選択されたコーディング方式が、送信時間間隔の第１の部分のための前記ターボコーディング方式と、前記送信時間間隔の第２の部分のための前記低密度パリティチェックコーディング方式とを備える、請求項１５に記載の方法。
【請求項１７】
ワイヤレス通信のための装置であって、
符号化および送信されるべきメッセージのための送信パラメータを決定するための手段と、
前記送信パラメータに少なくとも部分的に基づいて、ワイヤレス接続のために利用可能な複数のコーディング方式から１つのコーディング方式を選択するための手段と、
前記選択されたコーディング方式を使用して前記メッセージを符号化するための手段と、
前記ワイヤレス接続を介して、前記符号化されたメッセージを送信するための手段と
を備える、装置。
【請求項１８】
前記コーディング方式の指示をＵＥに送信するための手段をさらに備え、ここにおいて、前記符号化されたメッセージがダウンリンクメッセージであり、前記コーディング方式の前記指示が半静的指示または動的指示を備える、
請求項１７に記載の装置。
【請求項１９】
前記コーディング方式の指示を基地局から受信するための手段をさらに備え、ここにおいて、前記メッセージがアップリンクメッセージであり、前記コーディング方式の前記指示が半静的指示または動的指示を備える、
請求項１７に記載の装置。
【請求項２０】
前記送信パラメータが、データレート、復号レイテンシバジェット、デバイス能力、またはそれらの組合せを備える、請求項１７に記載の装置。
【請求項２１】
前記コーディング方式が、競合ベーススペクトルを使用する前記ワイヤレス接続に少なくとも部分的に基づいて選択される、請求項１７に記載の装置。
【請求項２２】
前記複数のコーディング方式が、少なくともターボコーディング方式と低密度パリティチェックコーディング方式とを備える、請求項１７に記載の装置。
【請求項２３】
前記選択されたコーディング方式が、送信時間間隔の第１の部分のための前記ターボコーディング方式と、前記送信時間間隔の第２の部分のための前記低密度パリティチェックコーディング方式とを備える、請求項２２に記載の装置。
【請求項２４】
ワイヤレス通信のための装置であって、
メッセージのための送信パラメータを決定するための手段と、
前記送信パラメータに少なくとも部分的に基づいて、ワイヤレス接続のために利用可能な複数のコーディング方式から１つのコーディング方式を選択するための手段と、
前記ワイヤレス接続を介してメッセージを受信するための手段と、
前記選択されたコーディング方式を使用して前記メッセージを復号するための手段と
を備える、装置。
【請求項２５】
前記コーディング方式の指示をユーザ機器に送信するための手段をさらに備え、ここにおいて、前記メッセージがアップリンクメッセージであり、前記コーディング方式の前記指示が半静的指示または動的指示を備える、
請求項２４に記載の装置。
【請求項２６】
前記コーディング方式の指示を基地局から受信するための手段をさらに備え、ここにおいて、前記メッセージがダウンリンクメッセージであり、前記コーディング方式の前記指示が半静的指示または動的指示を備える、
請求項２４に記載の装置。
【請求項２７】
前記送信パラメータが、データレート、復号レイテンシバジェット、デバイス能力、またはそれらの組合せを備える、請求項２４に記載の装置。
【請求項２８】
前記コーディング方式が、競合ベーススペクトルを使用する前記ワイヤレス接続に少なくとも部分的に基づいて選択される、請求項２４に記載の装置。
【請求項２９】
前記複数のコーディング方式が、少なくともターボコーディング方式と低密度パリティチェックコーディング方式とを備える、請求項２４に記載の装置。
【請求項３０】
前記選択されたコーディング方式が、送信時間間隔の第１の部分のための前記ターボコーディング方式と、前記送信時間間隔の第２の部分のための前記低密度パリティチェックコーディング方式とを備える、請求項２９に記載の装置。
【発明の詳細な説明】
【技術分野】
【０００１】
相互参照
[0001]本特許出願は、各々が本出願の譲受人に譲渡された、２０１６年６月７日に出願された、「Flexible Coding Schemes」と題する、Ｙｏｏらによる米国特許出願第１５／１７５，９６６号、および２０１５年７月２０日に出願された、「Flexible Coding Schemes」と題する、Ｙｏｏらによる米国仮特許出願第６２／１９４，６８７号の優先権を主張する。
【背景技術】
【０００２】
[0002]以下は、一般にワイヤレス通信に関し、より詳細には、フレキシブルコーディング方式（flexible coding schemes）に関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、スペクトル効率を改善し、コストを低下させ、サービスを改善し、新しいスペクトルを利用し、他のオープン規格とより良く一体化するように設計される。ＬＴＥは、ダウンリンク（ＤＬ）上でＯＦＤＭＡを使用し、アップリンク（ＵＬ）上でシングルキャリア周波数分割多元接続（ＳＣ−ＦＤＭＡ）を使用し、多入力多出力（ＭＩＭＯ）アンテナ技術を使用し得る。（ＬＴＥシステムを含む）ワイヤレス多元接続通信システムは、場合によってはユーザ機器（ＵＥ）として知られていることがある、複数の通信デバイスのための通信を各々がサポートする、いくつかの基地局を含み得る。
【０００５】
[0005]いくつかのワイヤレスシステムは、ワイヤレスデータ送信のための前方誤り訂正を可能にし得る、コーディング方式を使用する通信をサポートし得る。コーディング方式は、ターボコードと低密度パリティチェック（ＬＤＰＣ：low density parity check）コードとを含み得る。異なるコーディング方式は、スペクトル効率および計算複雑さにおける差を含む、異なる特性を有し得る。
【発明の概要】
【０００６】
[0006]ワイヤレス通信システムは、たとえば、ターボコード（ＴＣ）および低密度パリティチェック（ＬＤＰＣ）コードなど、複数のコーディング方式をサポートし得る。本システムは、明示的シグナリング、または送信パラメータの暗黙的評価に基づいて、コーディング方式の選択をサポートし得る。送信デバイスは、コーディング方式を選択し、選択されたコーディング方式を使用してメッセージを符号化し、ワイヤレス接続を介して、符号化されたメッセージを送信し得る。受信デバイスは、符号化されたメッセージを受信し、コーディング方式を識別し、選択されたコーディング方式を使用してメッセージを復号し得る。
【０００７】
[0007]ワイヤレス通信の方法が説明される。本方法は、ワイヤレス接続のために利用可能な複数のコーディング方式から１つのコーディング方式を選択することと、選択されたコーディング方式を使用してメッセージを符号化することと、ワイヤレス接続を介して、符号化されたメッセージを送信することとを含み得る。
【０００８】
[0008]ワイヤレス通信のための装置が説明される。本装置は、ワイヤレス接続のために利用可能な複数のコーディング方式から１つのコーディング方式を選択するための手段と、選択されたコーディング方式を使用してメッセージを符号化するための手段と、ワイヤレス接続を介して、符号化されたメッセージを送信するための手段とを含み得る。
【０００９】
[0009]ワイヤレス通信のためのさらなる装置が説明される。本装置は、プロセッサと、プロセッサと電子通信しているメモリと、メモリに記憶された命令とを含み得、命令は、本装置に、ワイヤレス接続のために利用可能な複数のコーディング方式から１つのコーディング方式を選択することと、選択されたコーディング方式を使用してメッセージを符号化することと、ワイヤレス接続を介して、符号化されたメッセージを送信することとを行わせるためにプロセッサによって実行可能である。
【００１０】
[0010]ワイヤレス通信のためのコードを記憶する非一時的コンピュータ可読媒体が説明される。コードは、ワイヤレス接続のために利用可能な複数のコーディング方式から１つのコーディング方式を選択することと、選択されたコーディング方式を使用してメッセージを符号化することと、ワイヤレス接続を介して、符号化されたメッセージを送信することとを行うために実行可能な命令を含み得る。
【００１１】
[0011]本明細書で説明される方法、装置、または非一時的コンピュータ可読媒体のいくつかの例は、コーディング方式の指示をユーザ機器に送信するためのプロセス、特徴、手段、または命令をさらに含み得、ここにおいて、符号化されたメッセージはダウンリンクメッセージである。追加または代替として、いくつかの例では、コーディング方式の指示は半静的指示または動的指示を備える。
【００１２】
[0012]本明細書で説明される方法、装置、または非一時的コンピュータ可読媒体のいくつかの例は、コーディング方式の指示を基地局から受信するためのプロセス、特徴、手段、または命令をさらに含み得、ここにおいて、メッセージはアップリンクメッセージである。追加または代替として、いくつかの例では、コーディング方式の指示は半静的指示または動的指示を備える。
【００１３】
[0013]本明細書で説明される方法、装置、または非一時的コンピュータ可読媒体のいくつかの例は、符号化されたメッセージのための送信パラメータを決定するためのプロセス、特徴、手段、または命令をさらに含み得、ここにおいて、コーディング方式を選択することは、送信パラメータに少なくとも部分的に基づく。追加または代替として、いくつかの例では、送信パラメータは、データレート、復号レイテンシバジェット、デバイス能力、またはそれらの組合せを備える。
【００１４】
[0014]本明細書で説明される方法、装置、または非一時的コンピュータ可読媒体のいくつかの例では、コーディング方式は、競合ベーススペクトルを使用するワイヤレス接続に少なくとも部分的に基づいて選択される。追加または代替として、いくつかの例では、複数のコーディング方式は、少なくともターボコーディング方式と低密度パリティチェックコーディング方式とを備える。選択されたコーディング方式は、送信時間間隔の第１の部分のためのターボコーディング方式と、送信時間間隔の第２の部分のための低密度パリティチェックコーディング方式とを含み得る。
【００１５】
[0015]ワイヤレス通信の方法が説明される。本方法は、ワイヤレス接続のために利用可能な複数のコーディング方式から１つのコーディング方式を選択することと、複数のコーディング方式が、少なくともターボコーディング方式と低密度パリティチェックコーディング方式とを備える、ワイヤレス接続を介してメッセージを受信することと、選択されたコーディング方式を使用してメッセージを復号することとを含み得る。
【００１６】
[0016]ワイヤレス通信のための装置が説明される。本装置は、接続のために利用可能な複数のコーディング方式から１つのコーディング方式を選択するための手段と、複数のコーディング方式が、少なくともターボコーディング方式と低密度パリティチェックコーディング方式とを備える、ワイヤレス接続を介してメッセージを受信するための手段と、選択されたコーディング方式を使用してメッセージを復号するための手段とを含み得る。
【００１７】
[0017]ワイヤレス通信のためのさらなる装置が説明される。本装置は、プロセッサと、プロセッサと電子通信しているメモリと、メモリに記憶された命令とを含み得、命令は、本装置に、接続のために利用可能な複数のコーディング方式から１つのコーディング方式を選択することと、複数のコーディング方式が、少なくともターボコーディング方式と低密度パリティチェックコーディング方式とを備える、ワイヤレス接続を介してメッセージを受信することと、選択されたコーディング方式を使用してメッセージを復号することとを行わせるためにプロセッサによって実行可能である。
【００１８】
[0018]ワイヤレス通信のためのコードを記憶する非一時的コンピュータ可読媒体が説明される。コードは、接続のために利用可能な複数のコーディング方式から１つのコーディング方式を選択することと、複数のコーディング方式が、少なくともターボコーディング方式と低密度パリティチェックコーディング方式とを備える、ワイヤレス接続を介してメッセージを受信することと、選択されたコーディング方式を使用してメッセージを復号することとを行うために実行可能な命令を含み得る。
【００１９】
[0019]本明細書で説明される方法、装置、または非一時的コンピュータ可読媒体のいくつかの例は、コーディング方式の指示をユーザ機器に送信するためのプロセス、特徴、手段、または命令をさらに含み得、ここにおいて、メッセージはアップリンクメッセージである。追加または代替として、いくつかの例では、コーディング方式の指示は半静的指示または動的指示を備える。
【００２０】
[0020]本明細書で説明される方法、装置、または非一時的コンピュータ可読媒体のいくつかの例は、コーディング方式の指示を基地局から受信するためのプロセス、特徴、手段、または命令をさらに含み得、ここにおいて、メッセージはダウンリンクメッセージである。追加または代替として、いくつかの例では、コーディング方式の指示は半静的指示または動的指示を備える。
【００２１】
[0021]本明細書で説明される方法、装置、または非一時的コンピュータ可読媒体のいくつかの例は、メッセージのための送信パラメータを決定するためのプロセス、特徴、手段、または命令をさらに含み得、ここにおいて、コーディング方式を選択することは、送信パラメータに少なくとも部分的に基づく。追加または代替として、いくつかの例では、送信パラメータは、データレート、復号レイテンシバジェット、デバイス能力、またはそれらの組合せを備える。
【００２２】
[0022]本明細書で説明される方法、装置、または非一時的コンピュータ可読媒体のいくつかの例では、コーディング方式は、競合ベーススペクトルを使用するワイヤレス接続に少なくとも部分的に基づいて選択される。追加または代替として、いくつかの例では、選択されたコーディング方式は、少なくともターボコーディング方式と低密度パリティチェックコーディング方式とを備える。選択されたコーディング方式は、送信時間間隔の第１の部分のためのターボコーディング方式と、送信時間間隔の第２の部分のための低密度パリティチェックコーディング方式とを含み得る。
【００２３】
[0023]本開示の態様は、以下の図を参照して説明される。
【図面の簡単な説明】
【００２４】
【図１】[0024]本開示の様々な態様による、フレキシブルコーディング方式をサポートするワイヤレス通信システムの一例を示す図。
【図２】[0025]本開示の様々な態様による、フレキシブルコーディング方式をサポートするワイヤレス通信システムの一例を示す図。
【図３】[0026]本開示の様々な態様による、フレキシブルコーディング方式をサポートするプロセスフローの一例を示す図。
【図４】[0027]本開示の様々な態様による、フレキシブルコーディング方式をサポートするワイヤレスデバイスのブロック図。
【図５】本開示の様々な態様による、フレキシブルコーディング方式をサポートするワイヤレスデバイスのブロック図。
【図６】本開示の様々な態様による、フレキシブルコーディング方式をサポートするワイヤレスデバイスのブロック図。
【図７】[0028]本開示の様々な態様による、フレキシブルコーディング方式をサポートするデバイスを含むシステムのブロック図。
【図８】[0029]本開示の様々な態様による、フレキシブルコーディング方式をサポートする基地局を含むシステムのブロック図。
【図９】[0030]本開示の様々な態様による、フレキシブルコーディング方式のための方法を示す図。
【図１０】本開示の様々な態様による、フレキシブルコーディング方式のための方法を示す図。
【図１１】本開示の様々な態様による、フレキシブルコーディング方式のための方法を示す図。
【図１２】本開示の様々な態様による、フレキシブルコーディング方式のための方法を示す図。
【図１３】本開示の様々な態様による、フレキシブルコーディング方式のための方法を示す図。
【図１４】本開示の様々な態様による、フレキシブルコーディング方式のための方法を示す図。
【図１５】本開示の様々な態様による、フレキシブルコーディング方式のための方法を示す図。
【図１６】本開示の様々な態様による、フレキシブルコーディング方式のための方法を示す図。
【詳細な説明】
【００２５】
[0031]いくつかのワイヤレスシステムは、ターボコード（ＴＣ）および低密度パリティチェック（ＬＤＰＣ）コードなど、コーディング方式を使用して、データ送信におけるエラーを低減または訂正するために、前方誤り訂正（ＦＥＣ）を適用し得る。たとえば、いくつかのワイヤレスワイドエリアネットワーク（ＷＷＡＮ）（たとえば、ＬＴＥおよび他のタイプのセルラーネットワーク）は、高いスペクトル効率を達成するためにＴＣを使用する。対照的に、多くのワイヤレスローカルエリアネットワーク（ＷＬＡＮ）（たとえば、ＷｉＦｉ（登録商標））は、より低い計算コストで厳しい復号レイテンシ仕様を満たすためにＬＤＰＣを使用する。ワイヤレス通信においてＦＥＣのために使用される追加のコーディング方式としては、たとえば、ポーラコード（polar code）、リード−ソロモンコード（Reed-Solomon code）、リード−マラーコード（Reed-Muller code）、および畳み込みコード（convolutional codes）がある。
【００２６】
[0032]異なるタイプのワイヤレス通信システムは、従来、ＦＥＣのための静的コーディング方式に関連するが、いくつかの場合には、マルチモードワイヤレスデバイスは、ＦＥＣのための複数のコーディング方法をサポートするハードウェアを含み得る。たとえば、ワイヤレスデバイスは、ＴＣエンコーダ／デコーダを有するＬＴＥモデムと、ＬＤＰＣエンコーダ／デコーダを有するＷＬＡＮモデムとを含み得る。これらの場合、いずれのコーディング方式も、いずれかのモデムのためのＦＥＣを実装するために使用され得るように、モデムは相互運用可能であり得る。この能力は、異なるタイプのワイヤレス送信に適応するための、コーディング方式の動的トグリング（dynamic toggling）を可能にし得、これは、ワイヤレスデバイスの全体的性能および効率を増加させ得る。したがって、本開示は、コーディング方式がそれによって所与のワイヤレス接続のために識別および選択され得る、技法および選択基準を概説する。
【００２７】
[0033]ワイヤレス接続のためのコーディング方式の選択および使用は、暗黙的に、または接続を介したシグナリングを通して行われ得る。コーディング方式の暗黙的選択は、データ送信のデータレート、復号レイテンシバジェット（decoding latency budget）、ユーザ機器（ＵＥ）または基地局能力、あるいはそれらの組合せに基づき得る。シグナリングがコーディング方式の選択を通信するために使用されるとき、あるワイヤレスデバイスが、コーディング方式を選択し、次いで、ダウンリンク（ＤＬ）またはアップリンク（ＵＬ）許可あるいは他のメッセージ中で、接続に関連する１つまたは複数の他のワイヤレスデバイスに、その選択を示し得る。
【００２８】
[0034]最初に、本開示の態様がワイヤレス通信システムのコンテキストにおいて説明される。次いで、特定の例が、ワイヤレス接続のために利用可能なコーディング方式のセットから１つのコーディング方式を選択することと、選択されたコーディング方式を使用してメッセージを符号化することと、ワイヤレス接続を介して、符号化されたメッセージを送信することと、選択されたコーディング方式を使用してメッセージを復号することとについて説明される。本開示のこれらおよび他の態様は、フレキシブルコーディング方式に関係する装置図、システム図、およびフローチャートによってさらに示され、それらを参照しながら説明される。
【００２９】
[0035]本明細書および添付の特許請求の範囲で使用される「コーディング方式」という用語は、ワイヤレス送信における前方誤り訂正のために物理レイヤにおいて冗長データとともにデータビットがそれによって符号化される、アルゴリズムまたはプロセスを指す。
【００３０】
[0036]本明細書および添付の特許請求の範囲で使用される「半静的指示」という用語は、ａ）選択が後続の送信されたメッセージによって変更されるまで有効なままである、コーディング方式の選択をシグナリングするメッセージ、またはｂ）コーディング方式を選択するためのルールをシグナリングするメッセージ、ここにおいて、ルールは後続の送信されたメッセージによって変更されるまで有効なままである、を指す。
【００３１】
[0037]本明細書および添付の特許請求の範囲で使用される「動的指示」という用語は、瞬時送信または送信のセットに固有の、あるいは有効期限に関連する、コーディング方式の選択をシグナリングするメッセージを指す。
【００３２】
[0038]図１は、本開示の様々な態様による、ワイヤレス通信システム１００の一例を示す。ワイヤレス通信システム１００は、基地局１０５と、ユーザ機器（ＵＥ）１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。ワイヤレス通信システム１００は、ＴＣまたはＬＤＰＣコーディング方式など、異なるコーディング方式の動的選択をサポートし得る。
【００３３】
[0039]基地局１０５は、１つまたは複数の基地局アンテナを介して、ＵＥ１１５とワイヤレスに通信し得る。各基地局１０５は、それぞれの地理的カバレージエリア１１０に対して通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ＵＥ１１５は、ワイヤレス通信システム１００全体にわたって分散され得、各ＵＥ１１５は固定式または移動式であり得る。ＵＥ１１５は、局（ＳＴＡ）、移動局、加入者局、リモートユニット、ワイヤレスデバイス、アクセス端末、ハンドセット、ユーザエージェント、クライアント、またはいくつかの他の好適な用語で呼ばれることもある。ＵＥ１１５は、セルラーフォン、ワイヤレスモデム、ハンドヘルドデバイス、パーソナルコンピュータ、タブレット、パーソナル電子デバイス、マシンタイプ通信（ＭＴＣ）デバイスまたは他のワイヤレスデバイスであり得る。
【００３４】
[0040]基地局１０５は、コアネットワーク１３０とおよび互いと通信し得る。たとえば、基地局１０５は、バックホールリンク１３２（たとえば、Ｓ１など）を通して、コアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００３５】
[0041]ワイヤレス通信システム１００は、通信の信頼性を改善するための１つまたは複数の方法を採用し得る。これらの方法は、前方誤り訂正（ＦＥＣ）とハイブリッド自動再送要求（ＨＡＲＱ）とを含み得る。いくつかの場合には、ＦＥＣは、ターボコード（ＴＣ）など、データコーディング方式を使用し得、これは、データ置換（data permutations）と畳み込みコードの組合せを使用し得る。他の場合には、ＦＥＣは、２部グラフ（bipartite graph）を使用する低密度パリティチェック（ＬＤＰＣ）コードに基づき得る。
【００３６】
[0042]ＨＡＲＱは、（たとえば、巡回冗長検査（ＣＲＣ）を使用する）誤り検出と、前方誤り訂正（ＦＥＣ）と、再送信（たとえば、自動再送要求（ＡＲＱ））との組合せに基づき得る。ＨＡＲＱは、不良な無線状態（たとえば、信号対雑音状態）において媒体アクセス制御（ＭＡＣ）レイヤにおけるスループットを改善し得る。ＨＡＲＱでは、（システマティックおよび冗長ビットを含む）不正確に受信されたデータは、データを正常に復号することの全体的尤度を改善するために、バッファに記憶され、後続の送信と組み合わせられ得る。インクリメンタル冗長（ＩＲ：Incremental Redundancy）ＨＡＲＱでは、追加の冗長ビットが後続の送信（すなわち、再送信）に追加され、これは、最初の送信と組み合わせられ、コードレートを効果的に低下させ、したがって、正常な復号の可能性を増加させる。チェイス合成（ＣＣ：chase combining）ＨＡＲＱでは、同じシステマティックおよび冗長ビットが各再送信において送信され、受信機における信号対雑音比を効果的に増加させ、したがって、正常な復号の可能性を増加させる。ＨＡＲＱでは、再送信は、元のメッセージの送信機が、情報を復号する試みの失敗を示す否定応答（ＮＡＣＫ）を受信した後に開始される。送信、応答および再送信のチェーンは、ＨＡＲＱプロセスと呼ばれることがある。いくつかの例では、限られた数のＨＡＲＱプロセスが所与の通信リンク１２５のために使用され得る。
【００３７】
[0043]いくつかの場合には、ＵＥ１１５または基地局１０５は、共有または無認可周波数スペクトルにおいて動作し得る。これらのデバイスは、チャネルが利用可能であるかどうかを決定するために、通信するより前にクリアチャネルアセスメント（ＣＣＡ：clear channel assessment）を実行し得る。ＣＣＡは、他のアクティブ送信があるかどうかを決定するためのエネルギー検出プロシージャを含み得る。たとえば、デバイスは、電力計の信号強度の変化が、チャネルが占有されることを示すと推論し得る。詳細には、ある帯域幅中に集中し、所定の雑音フロア（noise floor）を超える信号電力が、別のワイヤレス送信機を示し得る。ＣＣＡは、チャネルの使用を示す特定のシーケンスの検出をも含み得る。たとえば、別のデバイスが、データシーケンスを送信するより前に特定のプリアンブルを送信し得る。いくつかの場合には、ワイヤレス通信システム１００は、無認可スペクトルのための異なるコーディング方式、またはコーディング方式の組合せの使用をサポートし得る。
【００３８】
[0044]いくつかの場合には、ワイヤレス通信システム１００は、１つまたは複数の拡張コンポーネントキャリア（ｅＣＣ：enhanced component carrier）を利用し得る。拡張コンポーネントキャリア（ｅＣＣ）は、他のタイプのコンポーネントキャリアと比較して、フレキシブル帯域幅、異なる送信時間間隔（ＴＴＩ）、および変更された制御チャネル構成を含む、１つまたは複数の特徴によって特徴づけられ得る。いくつかの場合には、ｅＣＣは、（たとえば、複数のサービングセルが準最適なバックホールリンクを有するとき）キャリアアグリゲーション（ＣＡ）構成またはデュアル接続性構成に関連し得る。ｅＣＣはまた、（たとえば、２つ以上の事業者が、スペクトルを使用することを認可された（licensed）場合）無認可スペクトルまたは共有スペクトル中で使用するために構成され得る。フレキシブル帯域幅によって特徴づけられるｅＣＣは、全帯域幅を監視することが可能でないか、または（たとえば、電力を節約するために）限られた帯域幅を使用することを選好する、ＵＥ１１５によって利用され得る１つまたは複数のセグメントを含み得る。
【００３９】
[0045]いくつかの場合には、ｅＣＣは、他のコンポーネントキャリア（ＣＣ）とは異なるＴＴＩ長を使用し得、これは、他のＣＣのＴＴＩと比較して低減されたまたは可変のシンボル持続時間の使用を含み得る。いくつかの場合には、シンボル持続時間は同じままであり得るが、各シンボルは別個のＴＴＩを表し得る。いくつかの例では、ｅＣＣは、異なるＴＴＩ長に関連する複数の階層レイヤを含み得る。たとえば、ある階層レイヤにおけるＴＴＩは均一な１ｍｓサブフレームに対応し得るが、第２のレイヤでは、可変長ＴＴＩは短い持続時間シンボル期間のバーストに対応し得る。いくつかの場合には、より短いシンボル持続時間も、増加したサブキャリア間隔に関連し得る。低減されたＴＴＩ長とともに、ｅＣＣは、動的時分割複信（ＴＤＤ）動作を利用し得る（すなわち、それは、動的条件に従って短いバーストのためにダウンリンク（ＤＬ）動作からアップリンク（ＵＬ）動作に切り替わり得る）。
【００４０】
[0046]フレキシブル帯域幅および可変ＴＴＩは、変更された制御チャネル構成に関連し得る（たとえば、ｅＣＣは、ＤＬ制御情報のために拡張物理ダウンリンク制御チャネル（ｅＰＤＣＣＨ）を利用し得る）。たとえば、ｅＣＣの１つまたは複数の制御チャネルは、フレキシブル帯域幅使用に適応するために周波数分割多重化（ＦＤＭ）スケジューリングを利用し得る。他の制御チャネル変更は、（たとえば、発展型マルチメディアブロードキャストマルチキャストサービス（ｅＭＢＭＳ）スケジューリングのための、または可変長ＵＬおよびＤＬバーストの長さを示すための）追加の制御チャネルの使用、あるいは異なる間隔で送信される制御チャネルの使用を含む。ｅＣＣは、変更されたまたは追加のＨＡＲＱ関係制御情報をも含み得る。
【００４１】
[0047]いくつかの場合には、セルラーネットワークのｅＣＣは、無認可無線スペクトルまたは他の競合ベース共有スペクトルにおけるチャネル上で実装され得る。無認可または共有スペクトルは、１つまたは複数のワイヤレスローカルエリアネットワーク（ＷＬＡＮ）を含む、様々な無線アクセス技術の間で共有され得る。異なる無線アクセス技術は、リッスンビフォアトーク構造を使用して、スペクトルへのアクセスを求めて互いに競合し得る。いくつかのワイヤレスデバイスは、同じスペクトル上で複数の無線アクセス技術を使用することが可能であり得る。たとえば、ＵＥ１１５または基地局１０５は、セルラーモデムとＷＬＡＮモデムの両方を有し得、その両方が、無認可スペクトルの同じ帯域上で動作し得る。セルラーモデムは、ターボコード（ＴＣ）エンコーダ／デコーダを使用し得、ＷＬＡＮモデムは、低密度パリティチェック（ＬＤＰＣ）エンコーダ／デコーダを使用し得る。いくつかの場合には、両方のエンコーダ／デコーダが、いずれのモデムにとっても利用可能であり得る。
【００４２】
[0048]したがって、ワイヤレス通信システム１００のいくつかの基地局１０５およびＵＥ１１５は、ＴＣおよびＬＤＰＣコードなど、複数のコーディング方式をサポートし得る。コーディング方式の選択は、明示的シグナリング、または送信パラメータの暗黙的評価に基づき得る。送信デバイス（ＵＥ１１５または基地局１０５）は、コーディング方式を選択し、選択されたコーディング方式を使用してメッセージを符号化し、ワイヤレス接続を介して、符号化されたメッセージを送信し得る。受信デバイス（ＵＥ１１５または基地局１０５）は、コーディング方式を識別し、ワイヤレス接続を介して、符号化されたメッセージを受信し、選択されたコーディング方式を使用してメッセージを復号し得る。
【００４３】
[0049]図２は、本開示の様々な態様による、フレキシブルコーディング方式のためのワイヤレス通信システム２００の一例を示す。ワイヤレス通信システム２００は、図１を参照しながら説明されたＵＥ１１５、基地局１０５のそれぞれの例であり得る、ＵＥ１１５−ａと基地局１０５−ａとを含み得る。ＵＥ１１５−ａおよび基地局１０５−ａは、それぞれ、第１のコーディング方式を実装する第１のエンコーダ／デコーダ２０５−ａ、２０５−ｂと、第２の符号化方式を実装する第２のエンコーダ／デコーダ２１０−ｂ、２１０−ｂとを有し得る。基地局１０５−ａは、第１の符号化方式または第２の符号化方式のいずれかを使用してデータを送信し、第１の符号化方式または第２の符号化方式のいずれかを使用してデータを送信および復号するようにＵＥ１１５−ａを構成し得る。図２の残りは、第１および第２の符号化方式としてＴＣおよびＬＤＰＣの例を使用して説明されるが、他のタイプのコーディング方式が、ＴＣおよびＬＤＰＣに加えて、またはそれらの代わりに使用され得ることが当業者には明らかであろう。他のコーディング方式の例としては、ポーラコーディング方式、畳み込みコーディング方式などがある。
【００４４】
[0050]いくつかの場合には、ＴＣは、ＬＤＰＣよりも高いスペクトル効率をサポートし得、ＬＤＰＣは、ＴＣよりも低いコストおよび低いレイテンシで実装され得る。したがって、無認可周波数スペクトル（たとえば、競合ベース周波数スペクトル）では、ＴＣおよびＬＤＰＣのフレキシブルな使用を含めることが適切であり得る。このフレキシビリティは、能力を超えることまたはハードウェアを追加することなしに、ＴＣおよびＬＤＰＣの再利用を可能にし得る。エンコーダ／デコーダ２０５および２１０など、複数のエンコーダ／デコーダを使用することは、ＴＣおよびＬＤＰＣのフレキシブルな使用をサポートし得る。
【００４５】
[0051]いくつかの場合には、ＵＥ１１５−ａと基地局１０５−ａとの間の通信リンク１２５−ａに関連する１つまたは複数の送信パラメータに基づいてコーディング方式を選択することが適切であり得る。たとえば、送信パラメータは、スループットまたはレイテンシと相関し得る、したがって、より低いスループットまたはより高いレイテンシのデータ接続の場合にＴＣが選択され、より高いスループットおよびより低いレイテンシのデータ接続の場合にＬＤＰＣが選択される。
【００４６】
[0052]可能な送信パラメータの例としては、データレート（たとえば、あらかじめ定義されたしきい値よりも高い公称データレートを有する接続はＬＤＰＣを使用し、あらかじめ定義されたしきい値よりも低い公称データレートを有する接続はＴＣを使用する）、チャネル帯域幅（たとえば、あらかじめ定義されたしきい値よりも高いチャネル帯域幅上での接続はＬＤＰＣを使用し、あらかじめ定義されたしきい値よりも低いチャネル帯域幅上での接続はＴＣを使用する）、変調およびコーディング方式（ＭＣＳ）（たとえば、あらかじめ定義されたしきい値よりも高いＭＣＳインデックスをもつ接続はＬＤＰＣを使用し、あらかじめ定義されたしきい値よりも低いＭＣＳインデックスをもつ接続はＴＣを使用する）、送信ランク（たとえば、あらかじめ定義されたしきい値よりも高い送信ランクをもつ接続はＬＤＰＣを使用し、あらかじめ定義されたしきい値よりも低い送信ランクをもつ接続はＴＣを使用する）、復号またはＡＣＫ／ＮＡＣＫタイミングバジェット（たとえば、あらかじめ定義されたしきい値よりも高いバジェットをもつ接続はＴＣを使用し、あらかじめ定義されたしきい値よりも低いバジェットをもつ接続はＬＤＰＣを使用する）がある。
【００４７】
[0053]コーディング方式は、受信機のデコーダ能力、特に、デコーダスループット（すなわち、デコーダが所与の時間においていくつのビットを復号することができるか）に基づいて選択され得る。いくつかの例では、ＵＥ１１５−ａは、それのデコーダスループットの指示を基地局１０５−ａにシグナリングし得、基地局１０５−ａは、コーディング方式を選択し、選択されたコーディング方式をＵＥ１１５−ａにシグナリングし得る。
【００４８】
[0054]上記の送信パラメータのためのしきい値の選択は、デバイス能力、リソース利用可能性、およびフィールド状態に基づく、実装形態固有であり得る。いくつかの例は、適切なコーディング方式を選択するために、異なる送信パラメータのためのしきい値の組合せを使用し得る。一例では、ＴＣは、２０ＭＨｚチャネル帯域幅上でのデータ接続、または（たとえば、あらかじめ定義されたしきい値を下回る）低いＭＣＳインデックスをもつ８０ＭＨｚ帯域幅上でのデータ接続のために使用され得る。この例では、ＬＤＰＣは、（たとえば、あらかじめ定義されたしきい値にあるかまたはそれを上回る）高いＭＣＳインデックスをもつ８０ＭＨｚチャネル帯域幅上でのデータ接続のために使用され得る。
【００４９】
[0055]さらに、ＴＣは、インクリメンタル冗長（ＩＲ）、チェイス合成（ＣＣ）、またはＡＲＱとともに使用され得、ＬＤＰＣは、ＩＲではなくＣＣまたはＡＲＱとともに使用され得る。いくつかの場合には、ＴＣとＬＤＰＣとは、１つの送信時間間隔（ＴＴＩ）において混合され得る。たとえば、ターボコーディング方式は、送信時間間隔の第１の部分のために使用され得、低密度パリティチェックコーディング方式は、送信時間間隔の第２の部分のために使用され得る。いくつかのコードブロック（ＣＢ）およびコードワード（ＣＷ）（たとえば、空間レイヤ）はＴＣを使用し得、他のものはＬＤＰＣを使用し得る。たとえば、一方のＣＷは高いＭＣＳを有し、ＬＤＰＣを使用し得、他方のＣＷは低いＭＣＳを有し、ＴＣを使用し得る。
【００５０】
[0056]ワイヤレス通信システム２００では、接続のためのＴＣまたはＬＤＰＣの選択は、上記の送信パラメータのうちの１つまたは複数を使用して、基地局１０５−ａとＵＥ１１５−ａの両方によって別個に決定され得る。代替的に、基地局１０５−ａまたはＵＥ１１５−ａのうちの一方が、コーディング方式を選択し、明示的シグナリングを使用して、選択されたコーディング方式を他方のデバイスに通知し得る。たとえば、ＴＣを使用すべきなのかＬＤＰＣを使用すべきなのかの指示が、ダウンリンク（ＤＬ）またはアップリンク（ＵＬ）許可中に含まれ得る（たとえば、ＴＣまたはＬＤＰＣのいずれかを示すビット）。選択されたコーディング方式は、動的にまたは半静的にシグナリングされ得る。追加または代替として、デバイスのうちの一方は、他方のデバイスが適切なコーディング方式を別個に選択するために使用するための、動的、静的、または半静的選択基準しきい値のセットを、他方のデバイスにシグナリングし得る。
【００５１】
[0057]図３は、本開示の様々な態様による、フレキシブルコーディング方式のためのプロセスフロー３００の一例を示す。プロセスフロー３００は、図１〜図２を参照しながら説明されたＵＥ１１５および基地局１０５の例であり得る、ＵＥ１１５−ｂと基地局１０５−ｂとを含み得る。ＵＥ１１５−ｂおよび基地局１０５−ｂは、複数のコーディング方式を使用する通信のために構成され得る。プロセスフロー３００は、基地局１０５−ｂがメッセージを符号化し、ＵＥ１１５−ｂに送信する一例を示すが、いずれのデバイスも、送信デバイスまたは受信デバイスであり得る。
【００５２】
[0058]３０５において、基地局１０５−ｂおよびＵＥ１１５−ｂは、ワイヤレス接続を確立し得る。ワイヤレス接続は、競合ベースまたは無認可周波数スペクトル上で確立され得、１つまたは複数のｅＣＣを含み得る。ワイヤレス接続は、ＴＣ、ＬＤＰＣ、または他のコーディング方式など、複数のコーディング方式のフレキシブルな使用をサポートし得る。
【００５３】
[0059]３１０において、基地局１０５−ｂは、ワイヤレス接続のために利用可能なコーディング方式のセット（たとえば、ＴＣ方式およびＬＤＰＣコーディング方式）から１つのコーディング方式を選択し得る。ワイヤレス接続のために利用可能なコーディング方式は、基地局１０５−ｂとＵＥ１１５−ｂの両方においてインストールされたハードウェアエンコーダによって定義され得る。いくつかの場合には、ＵＥ１１５−ｂは、サポートされるコーディング方式のそれのセットを基地局１０５−ｂにシグナリングし得、基地局１０５−ｂは、基地局１０５−ｂとＵＥ１１５−ｂの両方によってサポートされるコーディング方式のセットとして、ワイヤレス接続のために利用可能なコーディング方式のセットを決定し得る。
【００５４】
[0060]基地局１０５−ｂは、ＵＥに送信されるべきメッセージの送信パラメータを識別し、送信パラメータに基づいてコーディング方式を選択し得る。送信パラメータは、データレート、復号レイテンシバジェットまたはデバイス能力を含み得る。さらに、基地局１０５−ｂは、競合ベース（または無認可）スペクトルを使用するワイヤレス接続に基づいて、コーディング方式を選択し得る。
【００５５】
[0061]３１５において、基地局１０５−ｂは、選択されたコーディング方式をＵＥ１１５−ｂにシグナリングし得る。信号は、コーディング方式の半静的指示または動的指示を含み得る。コーディング方式を受信すると、ＵＥ１１５−ｂは、コーディング方式を使用してメッセージ（たとえば、アップリンクメッセージ）を基地局１０５−ｂに送信し得る。ＵＥ１１５−ｂはまた、基地局１０５−ｂによって送られたデータパケットを復号するためにコーディング方式を使用し得る。
【００５６】
[0062]いくつかの場合には、基地局１０５−ｂは、明示的信号を送らないことがある。すなわち、いくつかの場合には、ＵＥ１１５−ｂは、送信および復号するために使用されるコーディング方式を暗黙的に決定し得る。暗黙的決定は、図２を参照しながら上記で説明されたように、データレート、チャネル帯域幅、ＭＣＳ、送信ランク、復号またはＡＣＫ／ＮＡＣＫタイミングバジェット、あるいはデバイス能力など、１つまたは複数の送信パラメータまたはデバイス制約に基づき得る。
【００５７】
[0063]３２０において、ＵＥ１１５−ｂは、図２を参照しながら上記で説明されたように、１つまたは複数の送信パラメータとそれらの関連するしきい値とに基づいて、コーディング方式を識別し得る。いくつかの場合には、コーディング方式はデータ送信より前に識別され得るが、他の場合には、送信は受信され、送信の態様が、コーディング方式を識別するために使用され得る。
【００５８】
[0064]３２５において、基地局１０５−ｂは、選択されたコーディング方式を使用してデータを符号化し得る。３３０において、基地局１０５−ｂは、ワイヤレス接続を介して、符号化されたメッセージを送信し得る。３３０において、ＵＥ１１５−ｂは、基地局１０５−ｂから受信された符号化されたメッセージを復号し得る。ＵＥ１１５−ｂは、（基地局１０５−ｂによってシグナリングされたかまたは暗黙的に決定された）コーディング方式を使用して、メッセージを復号し得る。ブロック３２５、３３０、および３３５の動作は、ＵＥがブロック３２５の符号化とブロック３３０の送信とを実行し、ＢＳがブロック３３５の復号を実行するように、反転され得ることが、当業者には理解されよう。
【００５９】
[0065]図４は、本開示の様々な態様による、フレキシブルコーディング方式のために構成されたワイヤレスデバイス４００のブロック図を示す。ワイヤレスデバイス４００は、図１〜図３を参照しながら説明されたＵＥ１１５または基地局１０５の態様の一例であり得る。ワイヤレスデバイス４００は、受信機４０５と、フレキシブルコーディング方式モジュール４１０と、送信機４１５とを含み得る。ワイヤレスデバイス４００はプロセッサをも含み得る。これらの構成要素の各々は互いと通信していることがある。
【００６０】
[0066]受信機４０５は、パケット、ユーザデータ、または様々な情報チャネルに関連する制御情報（たとえば、制御チャネル、データチャネル、およびフレキシブルコーディング方式に関係する情報など）などの情報を受信し得る。情報は、フレキシブルコーディング方式モジュール４１０に、およびワイヤレスデバイス４００の他の構成要素に受け渡され得る。
【００６１】
[0067]フレキシブルコーディング方式モジュール４１０は、ターボコーディング方式および低密度パリティチェック（ＬＤＰＣ）コーディング方式を含む、ワイヤレス接続のために利用可能なコーディング方式のセットから１つのコーディング方式を選択し、選択されたコーディング方式を使用してメッセージを符号化し、ワイヤレス接続を介して、符号化されたメッセージを送信し得る。
【００６２】
[0068]送信機４１５は、ワイヤレスデバイス４００の他の構成要素から受信された信号を送信し得る。いくつかの例では、送信機４１５は、トランシーバモジュール中で受信機４０５とコロケートされ得る。送信機４１５は単一のアンテナを含み得るか、またはそれは複数のアンテナを含み得る。
【００６３】
[0069]図５は、本開示の様々な態様による、フレキシブルコーディング方式のためのワイヤレスデバイス５００のブロック図を示す。ワイヤレスデバイス５００は、図１〜図４を参照しながら説明されたワイヤレスデバイス４００、ＵＥ１１５または基地局１０５の態様の一例であり得る。ワイヤレスデバイス５００は、受信機４０５−ａ、フレキシブルコーディング方式モジュール４１０−ａ、または送信機４１５−ａを含み得る。ワイヤレスデバイス５００はプロセッサをも含み得る。これらの構成要素の各々は互いと通信していることがある。フレキシブルコーディング方式モジュール４１０−ａはまた、コーディング方式選択モジュール５０５と、エンコーダ／デコーダ５１０−ａおよび５１０−ｂと、メッセージングモジュール５１５とを含み得る。
【００６４】
[0070]受信機４０５−ａは、フレキシブルコーディング方式モジュール４１０−ａに、およびワイヤレスデバイス５００の他の構成要素に受け渡され得る情報を受信し得る。フレキシブルコーディング方式モジュール４１０−ａは、図４を参照しながら説明された動作を実行し得る。送信機４１５−ａは、ワイヤレスデバイス５００の他の構成要素から受信された信号を送信し得る。
【００６５】
[0071]コーディング方式選択モジュール５０５は、図２〜図３を参照しながら説明されたように、ワイヤレス接続のために利用可能なコーディング方式のセット（たとえば、ターボコーディング方式と低密度パリティチェック（ＬＤＰＣ）コーディング方式とを含むセット）から１つのコーディング方式を選択し得る。コーディング方式選択モジュール５０５はまた、メッセージのための送信パラメータを決定し、送信パラメータに基づいてコーディング方式を選択し得る。いくつかの例では、送信パラメータは、データレート、復号レイテンシバジェットまたはデバイス能力を含む。いくつかの例では、コーディング方式は、競合ベーススペクトルを使用するワイヤレス接続に基づいて選択され得る。
【００６６】
[0072]エンコーダ／デコーダ５１０−ａまたは５１０−ｂは、図２を参照しながら説明されたエンコーダ／デコーダ２０５−ａ、２０５−ｂ、２１０−ａ、２１０−ｂのうちの１つまたは複数の一例であり得る。エンコーダ／デコーダ５１０−ａまたは５１０−ｂは、図２〜図３を参照しながら説明されたように、選択されたコーディング方式を使用してメッセージを符号化し得る。メッセージングモジュール５１５は、図２〜図３を参照しながら説明されたように、ワイヤレス接続を介して、符号化されたメッセージを送信し得る。メッセージングモジュール５１５はまた、ワイヤレス接続を介してメッセージを受信し得、エンコーダ／デコーダ５１０−ａまたは５１０−ｂは、選択されたコーディング方式を使用してメッセージを復号し得る。
【００６７】
[0073]図６は、本開示の様々な態様による、フレキシブルコーディング方式のためのワイヤレスデバイス４００またはワイヤレスデバイス５００の構成要素であり得る、フレキシブルコーディング方式４１０−ｂのブロック図６００を示す。フレキシブルコーディング方式モジュール４１０−ｂは、図４〜図５を参照しながら説明されたフレキシブルコーディング方式モジュール４１０の態様の一例であり得る。フレキシブルコーディング方式モジュール４１０−ｂは、コーディング方式選択モジュール５０５−ａと、エンコーダ／デコーダ５１０−ｃおよび５１０−ｄと、メッセージングモジュール５１５−ａとを含み得る。これらのモジュールの各々は、図５を参照しながら説明された機能を実行し得る。フレキシブルコーディング方式モジュール４１０−ｂは、コーディング方式シグナリングモジュール６０５をも含み得る。
【００６８】
[0074]コーディング方式シグナリングモジュール６０５は、図２〜図３を参照しながら説明されたように、ダウンリンクメッセージ中でコーディング方式の指示をＵＥに送信し、ダウンリンクメッセージ中でコーディング方式の指示を基地局から受信し、アップリンクメッセージ中でコーディング方式の指示を基地局に送信し、アップリンクメッセージ中でコーディング方式の指示をＵＥから受信し得る。いくつかの例では、コーディング方式の指示は半静的指示または動的指示を含む。
【００６９】
[0075]エンコーダ／デコーダ５１０−ｃまたは５１０−ｄは、図２〜図３を参照しながら説明されたように、選択されたコーディング方式を使用してメッセージを復号し得る。
【００７０】
[0076]図７は、本開示の様々な態様による、フレキシブルコーディング方式のために構成されたシステム７００の図を示す。システム７００は、ＵＥ１１５−ｃと基地局１０５−ｃとを含み得る。ＵＥ１１５−ｃは、図１、図２および図４〜図６を参照しながら説明されたワイヤレスデバイス４００、ワイヤレスデバイス５００、またはＵＥ１１５の一例であり得る。ＵＥ１１５−ｃは、図４〜図６を参照しながら説明されたフレキシブルコーディング方式モジュール４１０の一例であり得る、フレキシブルコーディング方式モジュール７１０を含み得る。ＵＥ１１５−ｃは、図１を参照しながら説明されたように、（競合ベーススペクトルにおける動作を含む）ｅＣＣ動作を可能にし得る、ｅＣＣモジュール７２５をも含み得る。
【００７１】
[0077]ＵＥ１１５−ｃはまた、プロセッサ７０５と、（ソフトウェア（ＳＷ）７２０を含む）メモリ７１５と、トランシーバ７３５と、１つまたは複数のアンテナ７４０とを含み得、その各々は、（たとえば、バス７４５を介して）互いと直接または間接的に通信し得る。トランシーバ７３５は、上記で説明されたように、（１つまたは複数の）アンテナ７４０あるいはワイヤードリンクまたはワイヤレスリンクを使用して、１つまたは複数のネットワークと通信し得る。たとえば、トランシーバ７３５は、基地局１０５−ｃと双方向に通信し得る。トランシーバ７３５は、パケットを変調し、変調されたパケットを送信のために（１つまたは複数の）アンテナ７４０に与え、（１つまたは複数の）アンテナ７４０から受信されたパケットを復調するためのモデムを含み得る。ＵＥ１１５−ｃは単一のアンテナ７４０を含み得るが、ＵＥ１１５−ｃはまた、複数のワイヤレス送信をコンカレントに送信または受信することが可能な複数のアンテナ７４０をも有し得る。
【００７２】
[0078]メモリ７１５は、ランダムアクセスメモリ（ＲＡＭ）および読取り専用メモリ（ＲＯＭ）を含み得る。メモリ７１５は、実行されたとき、プロセッサ７０５に本明細書で説明される様々な機能（たとえば、フレキシブルコーディング方式など）を実行させる命令を含むコンピュータ可読、コンピュータ実行可能ソフトウェア／ファームウェアコード７２０を記憶し得る。代替的に、コンピュータ実行可能ソフトウェア／ファームウェアコード７２０は、プロセッサ７０５によって直接的に実行可能でないことがあるが、（たとえば、コンパイルされ実行されたとき）コンピュータに本明細書で説明される機能を実行させ得る。プロセッサ７０５は、インテリジェントハードウェアデバイス（たとえば、中央処理ユニット（ＣＰＵ）、マイクロコントローラ、特定用途向け集積回路（ＡＳＩＣ）など）を含み得る。
【００７３】
[0079]図８は、本開示の様々な態様による、フレキシブルコーディング方式のために構成された１つまたは複数の基地局１０５を含むシステム８００の図を示す。システム８００は、図１、図２、および図５〜図７を参照しながら説明されたワイヤレスデバイス４００、ワイヤレスデバイス５００、または基地局１０５の一例であり得る、基地局１０５−ｄを含み得る。基地局１０５−ｄは、図５〜図７を参照しながら説明された基地局フレキシブルコーディング方式モジュール８１０の一例であり得る、基地局フレキシブルコーディング方式モジュール８１０を含み得る。基地局１０５−ｄは、通信を送信するための構成要素と通信を受信するための構成要素とを含む、双方向音声およびデータ通信のための構成要素をも含み得る。たとえば、基地局１０５−ｄは、ＵＥ１１５−ｄまたはＵＥ１１５−ｅと双方向に通信し得る。
【００７４】
[0080]いくつかの場合には、基地局１０５−ｄは１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなど、他の基地局１０５と通信し得る。基地局１０５の各々は、同じまたは異なるワイヤレス通信技術を使用してＵＥ１１５と通信し得る。いくつかの場合には、基地局１０５−ｄは、基地局通信モジュール８２５を利用して１０５−ｅまたは１０５−ｆなどの他の基地局と通信し得る。いくつかの例では、基地局通信モジュール８２５は、基地局１０５のうちのいくつかの間の通信を行うために、ロングタームエボリューション（ＬＴＥ）／ＬＴＥ−Ａワイヤレス通信ネットワーク技術内のＸ２インターフェースを与え得る。いくつかの例では、基地局１０５−ｄは、コアネットワーク１３０を通して他の基地局と通信し得る。いくつかの場合には、基地局１０５−ｄは、ネットワーク通信モジュール８３０を通してコアネットワーク１３０と通信し得る。
【００７５】
[0081]基地局１０５−ｄは、プロセッサ８０５と、（ソフトウェア（ＳＷ）８２０を含む）メモリ８１５と、トランシーバ８３５と、（１つまたは複数の）アンテナ８４０とを含み得、それらの各々は、（たとえば、バスシステム８４５を介して）直接または間接的に互いと通信していることがある。トランシーバ８３５は、（１つまたは複数の）アンテナ８４０を介して、マルチモードデバイスであり得るＵＥ１１５と双方向に通信するように構成され得る。トランシーバ８３５（または基地局１０５−ｄの他の構成要素）はまた、アンテナ８４０を介して、１つまたは複数の他の基地局（図示せず）と双方向に通信するように構成され得る。トランシーバ８３５は、パケットを変調し、変調されたパケットを送信のためにアンテナ８４０に与え、アンテナ８４０から受信されたパケットを復調するように構成されたモデムを含み得る。基地局１０５−ｄは、各々が１つまたは複数の関連するアンテナ８４０をもつ、複数のトランシーバ８３５を含み得る。トランシーバは、図４の組み合わせられた受信機４０５および送信機４１５の一例であり得る。
【００７６】
[0082]メモリ８１５はＲＡＭおよびＲＯＭを含み得る。メモリ８１５は、実行されたとき、プロセッサ８０５に本明細書で説明される様々な機能（たとえば、フレキシブルコーディング方式、カバレージ拡張技法を選択すること、呼処理、データベース管理、メッセージルーティングなど）を実行させるように構成された命令を含んでいるコンピュータ可読、コンピュータ実行可能ソフトウェアコード８２０をも記憶し得る。代替的に、コンピュータ実行可能ソフトウェアコード８２０は、プロセッサ８０５によって直接的に実行可能でないことがあるが、たとえば、コンパイルされ実行されたとき、コンピュータに本明細書で説明される機能を実行させるように構成され得る。プロセッサ８０５は、インテリジェントハードウェアデバイス、たとえば、ＣＰＵ、マイクロコントローラ、ＡＳＩＣなどを含み得る。プロセッサ８０５は、エンコーダ、キュー処理モジュール、ベースバンドプロセッサ、無線ヘッドコントローラ、デジタル信号プロセッサ（ＤＳＰ）など、様々な専用プロセッサを含み得る。
【００７７】
[0083]基地局通信モジュール８２５は他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール８２５は、ビームフォーミングまたはジョイント送信などの様々な干渉緩和技法のためのＵＥ１１５への送信のためのスケジューリングを協調させ得る。
【００７８】
[0084]ワイヤレスデバイス４００、ワイヤレスデバイス５００、フレキシブルコーディング方式モジュール４１０、システム７００およびシステム８００の構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【００７９】
[0085]図９は、本開示の様々な態様による、フレキシブルコーディング方式のための方法９００を示すフローチャートを示す。方法９００の動作は、図１〜図８を参照しながら説明されたように、ＵＥ１１５または基地局１０５などのデバイスあるいはそれの構成要素によって実装され得る。たとえば、方法９００の動作は、図４〜図７を参照しながら説明されたようにフレキシブルコーディング方式モジュール４１０によって実行され得る。いくつかの例では、デバイスは、以下で説明される機能を実行するようにデバイスの機能要素を制御するためのコードのセットを実行し得る。追加または代替として、デバイスは、専用ハードウェアを使用して、以下で説明される機能の態様を実行し得る。
【００８０】
[0086]ブロック９０５において、デバイスは、図２〜図３を参照しながら説明されたように、ワイヤレス接続のために利用可能なコーディング方式のセットから１つのコーディング方式を選択する。利用可能なコーディング方式のセットは、ターボコーディング方式とＬＤＰＣコーディング方式とを含み得る。いくつかの例では、ブロック９０５の動作は、図５を参照しながら説明されたように、コーディング方式選択モジュール５０５によって実行され得る。
【００８１】
[0087]ブロック９１０において、デバイスは、図２〜図３を参照しながら説明されたように、選択されたコーディング方式を使用してメッセージを符号化する。いくつかの例では、ブロック９１０の動作は、図５を参照しながら説明されたように、エンコーダ／デコーダ５１０−ａまたは５１０−ｂによって実行され得る。
【００８２】
[0088]ブロック９１５において、デバイスは、図２〜図３を参照しながら説明されたように、ワイヤレス接続を介して、符号化されたメッセージを送信する。いくつかの例では、ブロック９１５の動作は、図５を参照しながら説明されたように、メッセージングモジュール５１５によって実行され得る。
【００８３】
[0089]図１０は、本開示の様々な態様による、フレキシブルコーディング方式のための方法１０００を示すフローチャートを示す。方法１０００の動作は、図１〜図８を参照しながら説明されたように、基地局１０５などのデバイスまたはそれの構成要素によって実装され得る。たとえば、方法１０００の動作は、図４〜図７を参照しながら説明されたようにフレキシブルコーディング方式モジュール４１０によって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実行し得る。方法１０００はまた、図９の方法９００の態様を組み込み得る。
【００８４】
[0090]ブロック１００５において、基地局１０５は、図２〜図３を参照しながら説明されたように、ワイヤレス接続のために利用可能な複数のコーディング方式から１つのコーディング方式を選択する。複数のコーディング方式は、少なくともターボコーディング方式とＬＤＰＣコーディング方式とを備え得る。いくつかの例では、ブロック１００５の動作は、図５を参照しながら説明されたように、コーディング方式選択モジュール５０５によって実行され得る。
【００８５】
[0091]ブロック１０１０において、基地局１０５は、図２〜図３を参照しながら説明されたように、コーディング方式の指示をＵＥに送信し、ここにおいて、メッセージはダウンリンクメッセージである。いくつかの例では、ブロック１０１０の動作は、図６を参照しながら説明されたように、コーディング方式シグナリングモジュール６０５によって実行され得る。
【００８６】
[0092]ブロック１０１５において、基地局１０５は、図２〜図３を参照しながら説明されたように、選択されたコーディング方式を使用してメッセージを符号化する。いくつかの例では、ブロック１０１５の動作は、図５を参照しながら説明されたように、エンコーダ／デコーダ５１０−ａまたは５１０−ｂによって実行され得る。
【００８７】
[0093]ブロック１０２０において、基地局１０５は、図２〜図３を参照しながら説明されたように、ワイヤレス接続を介して、符号化されたメッセージを送信する。いくつかの例では、ブロック１０２０の動作は、図５を参照しながら説明されたように、メッセージングモジュール５１５によって実行され得る。
【００８８】
[0094]図１１は、本開示の様々な態様による、フレキシブルコーディング方式のための方法１１００を示すフローチャートを示す。方法１１００の動作は、図１〜図８を参照しながら説明されたように、ＵＥ１１５またはそれの構成要素によって実装され得る。たとえば、方法１１００の動作は、図４〜図７を参照しながら説明されたようにフレキシブルコーディング方式モジュール４１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１１００はまた、図９〜図１０の方法９００、および１０００の態様を組み込み得る。
【００８９】
[0095]ブロック１１０５において、ＵＥ１１５は、図２〜図３を参照しながら説明されたように、ダウンリンクメッセージ中でコーディング方式の指示を基地局から受信する。いくつかの例では、ブロック１１０５の動作は、図６を参照しながら説明されたように、コーディング方式シグナリングモジュール６０５によって実行され得る。
【００９０】
[0096]ブロック１１１０において、ＵＥ１１５は、図２〜図３を参照しながら説明されたように、指示に基づいて、ワイヤレス接続のために利用可能なコーディング方式のセットから１つのコーディング方式を選択する。コーディング方式のセットは、ターボコーディング方式とＬＤＰＣコーディング方式とを含み得る。いくつかの例では、ブロック１１１０の動作は、図５を参照しながら説明されたように、コーディング方式選択モジュール５０５によって実行され得る。
【００９１】
[0097]ブロック１１１５において、ＵＥ１１５は、図２〜図３を参照しながら説明されたように、選択されたコーディング方式を使用してメッセージを符号化する。いくつかの例では、ブロック１１１５の動作は、図５を参照しながら説明されたように、エンコーダ／デコーダ５１０−ａまたは５１０−ｂによって実行され得る。
【００９２】
[0098]ブロック１１２０において、ＵＥ１１５は、図２〜図３を参照しながら説明されたように、ワイヤレス接続を介して、符号化されたメッセージを送信する。いくつかの例では、ブロック１１２０の動作は、図５を参照しながら説明されたように、メッセージングモジュール５１５によって実行され得る。
【００９３】
[0099]図１２は、本開示の様々な態様による、フレキシブルコーディング方式のための方法１２００を示すフローチャートを示す。方法１２００の動作は、図１〜図８を参照しながら説明されたように、ＵＥ１１５または基地局１０５などのデバイスあるいはそれの構成要素によって実装され得る。たとえば、方法１２００の動作は、図４〜図７を参照しながら説明されたようにフレキシブルコーディング方式モジュール４１０によって実行され得る。いくつかの例では、デバイスは、以下で説明される機能を実行するようにデバイスの機能要素を制御するためのコードのセットを実行し得る。追加または代替として、デバイスは、専用ハードウェアを使用して、以下で説明される機能の態様を実行し得る。方法１２００はまた、図９〜図１１の方法９００、１０００、および１１００の態様を組み込み得る。
【００９４】
[0100]ブロック１２０５において、デバイスは、図２〜図３を参照しながら説明されたように、メッセージのための送信パラメータを決定する。いくつかの例では、ブロック１２０５の動作は、図５を参照しながら説明されたように、コーディング方式選択モジュール５０５によって実行され得る。
【００９５】
[0101]ブロック１２１０において、デバイスは、図２〜図３を参照しながら説明されたように、送信パラメータに基づいて、ワイヤレス接続のために利用可能なコーディング方式のセットから１つのコーディング方式を選択する。コーディング方式のセットは、ターボコーディング方式とＬＤＰＣコーディング方式とを含み得る。いくつかの例では、ブロック１２１０の動作は、図５を参照しながら説明されたように、コーディング方式選択モジュール５０５によって実行され得る。
【００９６】
[0102]ブロック１２１５において、デバイスは、図２〜図３を参照しながら説明されたように、選択されたコーディング方式を使用してメッセージを符号化する。いくつかの例では、ブロック１２１５の動作は、図５を参照しながら説明されたように、エンコーダ／デコーダ５１０−ａまたは５１０−ｂによって実行され得る。
【００９７】
[0103]ブロック１２２０において、デバイスは、図２〜図３を参照しながら説明されたように、ワイヤレス接続を介して、符号化されたメッセージを送信する。いくつかの例では、ブロック１２２０の動作は、図５を参照しながら説明されたように、メッセージングモジュール５１５によって実行され得る。
【００９８】
[0104]図１３は、本開示の様々な態様による、フレキシブルコーディング方式のための方法１３００を示すフローチャートを示す。方法１３００の動作は、図１〜図８を参照しながら説明されたように、ＵＥ１１５または基地局１０５あるいはそれの構成要素によって実装され得る。たとえば、方法１３００の動作は、図４〜図７を参照しながら説明されたようにフレキシブルコーディング方式モジュール４１０によって実行され得る。いくつかの例では、デバイスは、以下で説明される機能を実行するようにデバイスの機能要素を制御するためのコードのセットを実行し得る。追加または代替として、デバイスは、専用ハードウェアを使用して、以下で説明される機能の態様を実行し得る。方法１３００はまた、図９〜図１２の方法９００、１０００、１１００、および１２００の態様を組み込み得る。
【００９９】
[0105]ブロック１３０５において、デバイスは、図２〜図３を参照しながら説明されたように、ワイヤレス接続のために利用可能なコーディング方式のセットから１つのコーディング方式を選択する。コーディング方式のセットは、ターボコーディング方式と低密度パリティチェック（ＬＤＰＣ）コーディング方式とを含み得る。いくつかの例では、ブロック１３０５の動作は、図５を参照しながら説明されたように、コーディング方式選択モジュール５０５によって実行され得る。
【０１００】
[0106]ブロック１３１０において、デバイスは、図２〜図３を参照しながら説明されたように、ワイヤレス接続を介してメッセージを受信する。いくつかの例では、ブロック１３１０の動作は、図５を参照しながら説明されたように、メッセージングモジュール５１５によって実行され得る。
【０１０１】
[0107]ブロック１３１５において、デバイスは、図２〜図３を参照しながら説明されたように、選択されたコーディング方式を使用してメッセージを復号する。いくつかの例では、ブロック１３１５の動作は、図５を参照しながら説明されたように、エンコーダ／デコーダ５１０−ａまたは５１０−ｂによって実行され得る。
【０１０２】
[0108]図１４は、本開示の様々な態様による、フレキシブルコーディング方式のための方法１４００を示すフローチャートを示す。方法１４００の動作は、図１〜図８を参照しながら説明されたように、基地局１０５またはそれの構成要素によって実装され得る。たとえば、方法１４００の動作は、図４〜図７を参照しながら説明されたようにフレキシブルコーディング方式モジュール４１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能の態様を実行し得る。方法１４００はまた、図９〜図１３の方法９００、１０００、１１００、１２００、および１３００の態様を組み込み得る。
【０１０３】
[0109]ブロック１４０５において、基地局１０５は、図２〜図３を参照しながら説明されたように、接続のために利用可能な複数のコーディング方式から１つのコーディング方式を選択する。コーディング方式のセットは、ターボコーディング方式とＬＤＰＣコーディング方式とを含み得る。いくつかの例では、ブロック１４０５の動作は、図５を参照しながら説明されたように、コーディング方式選択モジュール５０５によって実行され得る。
【０１０４】
[0110]ブロック１４１０において、基地局１０５は、図２〜図３を参照しながら説明されたように、コーディング方式の指示をＵＥに送信し、ここにおいて、コーディング方式は、ＵＥによってアップリンクメッセージのために適用されるべきである。いくつかの例では、ブロック１４１０の動作は、図６を参照しながら説明されたように、コーディング方式シグナリングモジュール６０５によって実行され得る。
【０１０５】
[0111]ブロック１４１５において、基地局１０５は、図２〜図３を参照しながら説明されたように、ワイヤレス接続を介してメッセージを受信する。いくつかの例では、ブロック１４１５の動作は、図５を参照しながら説明されたように、メッセージングモジュール５１５によって実行され得る。
【０１０６】
[0112]ブロック１４２０において、基地局１０５は、図２〜図３を参照しながら説明されたように、選択されたコーディング方式を使用してメッセージを復号する。いくつかの例では、ブロック１４２０の動作は、図５を参照しながら説明されたように、エンコーダ／デコーダ５１０−ａまたは５１０−ｂによって実行され得る。
【０１０７】
[0113]図１５は、本開示の様々な態様による、フレキシブルコーディング方式のための方法１５００を示すフローチャートを示す。方法１５００の動作は、図１〜図８を参照しながら説明されたように、ＵＥ１１５またはそれの構成要素によって実装され得る。たとえば、方法１５００の動作は、図４〜図７を参照しながら説明されたようにフレキシブルコーディング方式モジュール４１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能の態様を実行し得る。方法１５００はまた、図９〜図１４の方法９００、１０００、１１００、１２００、１３００、および１４００の態様を組み込み得る。
【０１０８】
[0114]ブロック１５０５において、ＵＥ１１５は、図２〜図３を参照しながら説明されたように、コーディング方式の指示を基地局から受信し、ここにおいて、メッセージはダウンリンクメッセージである。いくつかの例では、ブロック１５０５の動作は、図６を参照しながら説明されたように、コーディング方式シグナリングモジュール６０５によって実行され得る。
【０１０９】
[0115]ブロック１５１０において、ＵＥ１１５は、図２〜図３を参照しながら説明されたように、接続のために利用可能な複数のコーディング方式から１つのコーディング方式を選択する。複数のコーディング方式は、少なくともターボコーディング方式とＬＤＰＣコーディング方式とを含み得る。いくつかの例では、ブロック１５１０の動作は、図５を参照しながら説明されたように、コーディング方式選択モジュール５０５によって実行され得る。
【０１１０】
[0116]ブロック１５１５において、ＵＥ１１５は、図２〜図３を参照しながら説明されたように、ワイヤレス接続を介してメッセージを受信する。いくつかの例では、ブロック１５１５の動作は、図５を参照しながら説明されたように、メッセージングモジュール５１５によって実行され得る。
【０１１１】
[0117]ブロック１５２０において、ＵＥ１１５は、図２〜図３を参照しながら説明されたように、選択されたコーディング方式を使用してメッセージを復号する。いくつかの例では、ブロック１５２０の動作は、図５を参照しながら説明されたように、エンコーダ／デコーダ５１０−ａまたは５１０−ｂによって実行され得る。
【０１１２】
[0118]図１６は、本開示の様々な態様による、フレキシブルコーディング方式のための方法１６００を示すフローチャートを示す。方法１６００の動作は、図１〜図８を参照しながら説明されたように、ＵＥ１１５または基地局１０５などのデバイスあるいはそれの構成要素によって実装され得る。たとえば、方法１６００の動作は、図４〜図７を参照しながら説明されたようにフレキシブルコーディング方式モジュール４１０によって実行され得る。いくつかの例では、デバイスは、以下で説明される機能を実行するようにデバイスの機能要素を制御するためのコードのセットを実行し得る。追加または代替として、デバイスは、専用ハードウェアを使用して、以下で説明される機能の態様を実行し得る。方法１６００はまた、図９〜図１５の方法９００、１０００、１１００、１２００、１３００、１４００、および１５００の態様を組み込み得る。
【０１１３】
[0119]ブロック１６０５において、デバイスは、図２〜図３を参照しながら説明されたように、メッセージのための送信パラメータを決定する。いくつかの例では、ブロック１６０５の動作は、図５を参照しながら説明されたように、コーディング方式選択モジュール５０５によって実行され得る。
【０１１４】
[0120]ブロック１６１０において、デバイスは、図２〜図３を参照しながら説明されたように、送信パラメータに基づいて、接続のために利用可能なコーディング方式のセットから１つのコーディング方式を選択する。複数のコーディング方式は、少なくともターボコーディング方式とＬＤＰＣコーディング方式とを含み得る。いくつかの例では、ブロック１６１０の動作は、図５を参照しながら説明されたように、コーディング方式選択モジュール５０５によって実行され得る。
【０１１５】
[0121]ブロック１６１５において、デバイスは、図２〜図３を参照しながら説明されたように、ワイヤレス接続を介してメッセージを受信する。いくつかの例では、ブロック１６１５の動作は、図５を参照しながら説明されたように、メッセージングモジュール５１５によって実行され得る。
【０１１６】
[0122]ブロック１６２０において、デバイスは、図２〜図３を参照しながら説明されたように、選択されたコーディング方式を使用してメッセージを復号する。いくつかの例では、ブロック１６２０の動作は、図５を参照しながら説明されたように、エンコーダ／デコーダ５１０−ａまたは５１０−ｂによって実行され得る。
【０１１７】
[0123]したがって、方法９００、１０００、１１００、１２００、１３００、１４００、１５００、および１６００は、フレキシブルコーディング方式を与え得る。方法９００、１０００、１１００、１２００、１３００、１４００、１５００、および１６００は可能な実装形態について説明していること、ならびに動作およびステップは、他の実装形態が可能であるように、並べ替えられるかまたは場合によっては変更され得ることに留意されたい。いくつかの例では、方法９００、１０００、１１００、１２００、１３００、１４００、１５００、および１６００のうちの２つまたはそれ以上からの態様が組み合わせられ得る。
【０１１８】
[0124]本明細書の説明は、例を与えるものであり、特許請求の範囲に記載される範囲、適用可能性、または例を限定するものではない。本開示の範囲から逸脱することなく、説明された要素の機能および構成において変更が行われ得る。様々な例は、適宜に様々なプロシージャまたは構成要素を省略、置換、または追加し得る。また、いくつかの例に関して説明された特徴は、他の例において組み合わせられ得る。
【０１１９】
[0125]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標）：Global System for Mobile Communications）などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイル通信システム（ＵＭＴＳ）の一部である。３ＧＰＰ（登録商標）ロングタームエボリューション（ＬＴＥ）およびＬＴＥアドバンスト（ＬＴＥ−ａ）は、Ｅ−ＵＴＲＡを使用するユニバーサルモバイル通信システム（ＵＭＴＳ）の新しいリリースである。ＵＴＲＡ、Ｅ−ＵＴＲＡ、ユニバーサルモバイル通信システム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上述のシステムおよび無線技術、ならびに他のシステムおよび無線技術に使用され得る。ただし、本明細書の説明では、例としてＬＴＥシステムについて説明し、上記の説明の大部分においてＬＴＥ用語が使用されるが、本技法はＬＴＥ適用例以外に適用可能である。
【０１２０】
[0126]本明細書で説明されたようなネットワークを含む、ＬＴＥ／ＬＴＥ−ａネットワークでは、発展型ノードＢ（ｅＮＢ）という用語は、概して、基地局を表すために使用され得る。本明細書で説明された１つまたは複数のワイヤレス通信システムは、異なるタイプの発展型ノードＢ（ｅＮＢ）が様々な地理的領域に対してカバレージを与える異機種ＬＴＥ／ＬＴＥ−ａネットワークを含み得る。たとえば、各ｅＮＢまたは基地局は、マクロセル、スモールセル、または他のタイプのセルに対して通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１２１】
[0127]基地局は、トランシーバ基地局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、あるいはそのように当業者によって呼ばれることがある。基地局のための地理的カバレージエリアは、カバレージエリアの一部分を構成するセクタに分割され得る。本明細書で説明された１つまたは複数のワイヤレス通信システムは、異なるタイプの基地局（たとえば、マクロセル基地局またはスモールセル基地局）を含み得る。本明細書で説明されたＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１２２】
[0128]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルと、フェムトセルと、マイクロセルとを含み得る。ピコセルは、たとえば、小さい地理的エリアをカバーし得、ネットワークプロバイダのサービスに加入しているＵＥによる無制限アクセスを可能にし得る。また、フェムトセルは、小さい地理的エリア（たとえば、自宅）をカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１２３】
[0129]本明細書で説明された１つまたは複数のワイヤレス通信システムは、同期動作または非同期動作をサポートし得る。同期動作の場合、基地局は同様のフレームタイミングを有し得、異なる基地局からの送信は近似的に時間的に整列され得る。非同期動作の場合、基地局は異なるフレームタイミングを有し得、異なる基地局からの送信は時間的に整列されないことがある。本明細書で説明された技法は、同期動作または非同期動作のいずれかのために使用され得る。
【０１２４】
[0130]本明細書で説明されたダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明された各通信リンクは、１つまたは複数のキャリアを含み得、ここで、各キャリアは、複数のサブキャリアからなる信号（たとえば、異なる周波数の波形信号）であり得る。各変調された信号は、異なるサブキャリア上で送られ得、制御情報（たとえば、基準信号、制御チャネルなど）、オーバーヘッド情報、ユーザデータなどを搬送し得る。本明細書で説明された通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１２５】
[0131]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明される例の概念を不明瞭にすることを回避するために、よく知られている構造およびデバイスがブロック図の形式で示される。
【０１２６】
[0132]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０１２７】
[0133]本明細書で説明された情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２８】
[0134]本明細書の開示に関して説明された様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１２９】
[0135]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１３０】
[0136]コンピュータ可読媒体は、ある場所から別の場所へのコンピュータプログラムの転送を可能にする任意の媒体を含む通信媒体と、非一時的コンピュータ記憶媒体との両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１３１】
[0137]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018523406.tif 000003
【図２】
2018523406.tif 000004
【図３】
2018523406.tif 000005
【図４】
2018523406.tif 000006
【図５】
2018523406.tif 000007
【図６】
2018523406.tif 000008
【図７】
2018523406.tif 000009
【図８】
2018523406.tif 000010
【図９】
2018523406.tif 000011
【図１０】
2018523406.tif 000012
【図１１】
2018523406.tif 000013
【図１２】
2018523406.tif 000014
【図１３】
2018523406.tif 000015
【図１４】
2018523406.tif 000016
【図１５】
2018523406.tif 000017
【図１６】
2018523406.tif 000018
【国際調査報告】
2018523406.tif 000019
2018523406.tif 000020
2018523406.tif 000021